(57)【要約】      （修正有）【課題】かさばらずコンパクトに収納することができ、誰でも容易に組み立てることができ、組立て後も間取りを変更することができ、簡単に分解したりすることが可能な仮設パーティションキットを提供する。【解決手段】本発明の仮設パーティションキットは、紙製段ボールからなる複数の仕切り板１および本体部と先細部とからなる複数の連結棒からなる仮設パーティションキットであって、当該仕切り板は、少なくとも隣接する２層が紙製段ボールの波目が相互に直交する方向に積層したものからなり、当該仕切り板は、一方の側辺の上端側および下端側に一組の突部２および溝部３または溝部および突部が設けられ、当該突部および当該溝部の形状は同一で嵌め合い構造をなし、当該突部および当該溝部の幅は当該仕切り板の板厚の１／２〜４倍であり、かつ、当該突部は連結棒の挿入位置が表示されていることを特徴とする。【選択図】図１
2018053458.tif 000002
【特許請求の範囲】
【請求項１】
紙製段ボールからなる複数の仕切り板および本体部と先細部とからなる複数の連結棒からなる仮設パーティションキットであって、
当該仕切り板は、少なくとも隣接する２層が紙製段ボールの波目が相互に直交する方向に積層したものからなり、
当該仕切り板は、一方の側辺の上端側および下端側に一組の突部および溝部または溝部および突部が設けられ、
当該突部および当該溝部の形状は同一で嵌め合い構造をなし、
当該突部および当該溝部の幅は当該仕切り板の板厚の１／２〜４倍であり、
かつ、当該突部は連結棒の挿入位置が表示されていることを特徴とする仮設パーティションキット。
【請求項２】
前記突部および溝部の数が同数であることを特徴とする請求項１に記載の仮設パーティションキット。
【請求項３】
前記仕切り板は、他方の側辺に一方の側辺に設けられた突部および溝部と点対象をなす溝部および突部が設けられていることを特徴とする請求項１に記載の仮設パーティションキット。
【請求項４】
前記仕切り板は、他方の側辺に一方の側辺に設けられた突部および溝部と点対象をなす溝部および突部がミシン目によって設けられていることを特徴とする請求項１に記載の仮設パーティションキット。
【請求項５】
前記突部および前記溝部の形状が矩形であることを特徴とする請求項１に記載の仮設パーティションキット。
【請求項６】
前記突部および前記溝部の幅が当該仕切り板の板厚の１〜３倍であることを特徴とする請求項１に記載の仮設パーティションキット。
【請求項７】
前記積層枚数が３枚以上であることを特徴とする請求項１に記載の仮設パーティションキット。
【請求項８】
前記連結棒の挿入位置が線表示であることを特徴とする請求項１に記載の仮設パーティションキット。
【発明の詳細な説明】
【技術分野】
【０００１】
本発明は、災害発生等の避難場所において仮設的に組立てる段ボール製間仕切りの仮設パーティションキットに関するものである。
【背景技術】
【０００２】
地震や台風や火山噴火などによる大規模な災害が発生したときには、学校の体育館や公民館等の公共施設が避難場所として使用される。ところが、このような避難場所では、大きな空間に多数の家族が集合することとなるため、プライバシーが保たれず、避難した住民はストレスを感じることが多い。しかも、避難が必要な災害は、復旧または復興までに長期間を要することがあり、このようなストレスが蓄積されて非常に大きなものとなる。
【０００３】
その対策として、特許３７４６０５３号公報（後述する特許文献１）においては、「複数接合して間仕切ないし仮設住居を構築する略長方形状の所定厚みの平板体であって、底辺から同じ高さの左右の辺上の一方に前記厚みを突出幅とする直方体形の凸部を、他方に当該直方体形分を切り欠いた凹部を設け、さらに、左右の辺を起点として前記厚みの長さの２倍の距離の位置から３倍の距離の位置にわたる平板内側の位置であって底辺からみて凸部および凹部と同じ高さの位置に、凸部と勘合する形状の孔部をそれぞれ設け、平板体の接合を補強するための補強具を差し込み可能な切り込みであって、前記厚みの長さを一辺とした立方体を１単位として、底辺上の両端部から５単位分のうち真中の１単位分を残存させ残りを切り欠いた切り込みを入れたことを特徴とする平板体」が提案されている。
【０００４】
一方、段ボールに厚紙を接着した展示用の壁材や間仕切りとして、実全昭５９−０４２２１３号公報（後述する特許文献２）があり、この実用新案登録請求の範囲には、「所定の幅と長さとを有する多数枚の板状体と、この並列する板状体の対向縁に設けた筒状部と、この筒状部に挿入して上記の板状体を屈曲かつ着脱自在に連結する杵とから成る壁材」が開示されている。
【０００５】
また、特許４６１５９７９号公報（後述する特許文献３）の請求項１には、「段ボール製のパネル（１）、下部ジョイント（２）及び上部ジョイント（３）並びに支柱（４）から成り、前記パネル（１）には、上縁及び下縁に複数の切込（５）を入れ、両側中間部に差込片（６）を、上下部に折曲片（７）をそれぞれ形成して、前記支柱（４）が差込片（６）及びその上下の折曲片（７）にわたって延びる長さを有するものとし、前記下部ジョイント（２）及び上部ジョイント（３）には、連結板（１０）の両側に連設した立上片（１１）の先端に切込（１２）を入れ、前記支柱（４）には、巻き込みにより角柱状をなす各側板（１４）に縦方向のスリット（１５）を設け、パネル（１）の延長接続部では、下部ジョイント（２）及び上部ジョイント（３）が隣接するパネル（１）に跨るように、連結板（１０）から起立させた立上片（１１）の切込（１２）と、パネル（１）の切込（５）とを噛み合わせ、パネル（１）のコーナー接続部では、パネル（１）の折曲片（７）を折り曲げて、差込片（６）を支柱（４）のスリット（１５）に差し込むと、パネル（１）の折曲片（７）が支柱（４）の側板（１４）の外面に当接するようにした段ボール製間仕切り」が開示されている。
【０００６】
その他、段ボールに切り込みを設けた例としては、特許３７４６０５３号公報の請求項１には、「複数接合して間仕切ないし仮設住居を構築する略長方形状の所定厚みの平板体であって、底辺から同じ高さの左右の辺上の一方に前記厚みを突出幅とする直方体形の凸部を、他方に当該直方体形分を切り欠いた凹部を設け、さらに、左右の辺を起点として前記厚みの長さの２倍の距離の位置から３  倍の距離の位置にわたる平板内側の位置であって底辺からみて凸部および凹部と同じ高さの位置に、凸部と勘合する形状の孔部をそれぞれ設け、平板体の接合を補強するための補強具を差し込み可能な切り込みであって、前記厚みの長さを一辺とした立方体を１  単位として、底辺上の両端部から５単位分のうち真中の１単位分を残存させ残りを切り欠いた切り込みを入れたことを特徴とする平板体」が開示されている。
【０００７】
また、特許５５４３６８０号公報の請求項１には、「段ボール製の仕切り板キットであって、一方の対辺である第一辺及び第二辺と、他方の対辺である第三辺及び第四辺とをそれぞれ有する複数の略矩形状第一仕切り板と、二枚の前記第一仕切り板を並べて配置した状態で互いに固定するための複数の固定板と、を備え、前記第一仕切り板は、当該第一辺から当該第二辺の方向に当該第三辺に沿って延びる第一切り込みと、当該第一辺から当該第二辺の方向に当該第四辺に沿って延びる第二切り込みとを有し、前記固定板は、前記第一仕切り板の二枚分の厚さに相当する幅の固定用切り込みを有する、仕切り板キット」が開示されている。
【先行技術文献】
【特許文献】
【０００８】
【特許文献１】特許３７４６０５３号公報
【特許文献２】実全昭５９−０４２２１３号公報
【特許文献３】特許４６１５９７９号公報
【発明の概要】
【発明が解決しようとする課題】
【０００９】
このような従来の段ボール製間仕切りでは、加工しやすく、誰でも容易に間仕切ないし仮設住居を構築できる利点がある。また、撤去する際にも容易に解体することができ、避難場所を迅速に元の状態に戻すことができるという利点がある。
【００１０】
しかしながら、紙製段ボールの一般的な特性として、湿気に弱く、長期間立てた状態にしておくと湾曲してくるという欠点がある。また、折り曲げに弱いという欠点もある。それにもかかわらず、従来の段ボール製間仕切り板は、段ボールをそのまま折り曲げて使用したり、開孔部に差し込んで使用したり、交差個所を短くして折り曲がりやすくして使用したりしている。そのため、その折り曲げた個所は湿気を吸いやすく、また、何度も折り曲げたりするためその個所が弱くなり、実用化されていないのが現状である。
【００１１】
この発明は、一方向に曲がりやすいという紙製段ボールの性質をその波目が相互に直交する方向に複数枚積層することによって頑丈にしたものである。また、従来、課題となっていた折り曲げ個所や切り込み個所をなくすことによっても頑丈にした。このため本発明の仮設パーティションキットは少ない部品点数で誰でも容易に間仕切壁を組立・撤去することが可能になった。
【００１２】
本発明の目的は、かさばらずコンパクトに収納することができ、パーティションに必要な部品数を減らすことによって、誰でも容易に組み立てることができ、組立て後も間取りを変更することができ、簡単に分解したりすることが可能な仮設パーティションキットを提供することにある。
【課題を解決するための手段】
【００１３】
本発明の仮設パーティションキットは、紙製段ボールからなる複数の仕切り板および本体部と先細部とからなる複数の連結棒からなる仮設パーティションキットであって、当該仕切り板は、少なくとも隣接する２層が紙製段ボールの波目が相互に直交する方向に積層したものからなり、当該仕切り板は、一方の側辺の上端側および下端側に一組の突部および溝部または溝部および突部が設けられ、当該突部および当該溝部の形状は同一で嵌め合い構造をなし、当該突部および当該溝部の幅は当該仕切り板の板厚の１／２〜４倍であり、かつ、当該突部は連結棒の挿入位置が表示されていることを特徴とする。
【００１４】
本発明の仮設パーティションキットの実施態様は、次のとおりである。
すなわち、前記突部および溝部の数が同数であることが好ましい。また、前記仕切り板は、他方の側辺に一方の側辺に設けられた突部および溝部と点対象をなす溝部および突部が設けられていることが好ましい。また、前記仕切り板は、他方の側辺に一方の側辺に設けられた突部および溝部と点対象をなす溝部および突部がミシン目によって設けられていることが好ましい。また、前記突部および前記溝部の形状が矩形であることが好ましい。また、前記突部および前記溝部の幅が当該仕切り板の板厚の１〜３倍であることが好ましい。特に２倍が最も良い。また、前記積層枚数が３枚以上であることが好ましい。特に３枚ないし５枚が最も良い。また、前記連結棒の挿入位置が線表示であることが好ましい。
【発明の効果】
【００１５】
本発明の仮設パーティションキットは、少ない部品点数で間仕切りに必要な接合形態を完成することができる。すなわち、本発明の仮設パーティションキットはかさばらないので、保管スペースが少なくて済むという効果がある。また、本発明の仮設パーティションキットは種類が少ないので、だれでも簡単に組み立てることができ、避難者同士で教えあうことができる。また、本発明の仮設パーティションキットは仕切り板の剛性が高いので、仮設パーティションを組み立てるときにＩ字型、Ｌ字型、Ｔ字型およびＸ字型の四種類の接合継手すべてを利用することができる。このため任意の大きさの間仕切りを自在に組み立てることができる。また、本発明の仮設パーティションキットは、突部に連結棒の挿入位置が表示されているので、だれでも簡単に連結棒を挿入することができる効果がある。また、何度も連結棒を挿入しなおした場合でも毎回同じ位置に挿入することができるので、簡単に間仕切りを変更することができる効果がある。また、使用部材が紙や木材等であるため廃棄処分や焼却も容易に行うことができる。
【図面の簡単な説明】
【００１６】
【図１】は、本発明の実施形態に係る仕切り板である。
【図２】は、本発明のＩ字型継手構造の正面図である。
【図３】は、本発明のＩ字型継手構造の平面図である。
【図４】は、本発明のＬ字型継手構造の平面図である。
【図５】は、本発明のＴ字型継手構造の平面図である。
【図６】は、本発明のＸ字型継手構造の平面図である。
【図７】は、本発明の実施形態に係る間仕切りである。
【図８】は、本発明の他の実施形態に係る仕切り板である。
【図９】は、本発明の実施形態に係る連結棒の断面図である。
【発明を実施するための形態】
【００１７】
以下、この発明の実施形態について図面に基づいて説明する。
図１は、長さ２ｍ、幅１ｍおよび厚さ５ｍｍの紙製段ボールをそれぞれの波目が相互に直交する方向に３枚積層した仕切り板（１）である。仕切り板（１）の左右の側辺には、幅が板厚の２倍である３０ｍｍの矩形の突部（２）４個と、その突部（２）と同形状の溝部（３）４個が等間隔に配置され、左側辺の突部（２）および溝部（３）とが右側辺の突部（２）および溝部（３）の配列は点対称である。また、各突部（２）には連結棒の挿入位置（５）が灰色のラインで示されている。
【００１８】
図１で示す仕切り板（１）２枚を並設すると、図２に示すようなＩ字型継手構造が形成される。図３に示すように、この灰色のラインで示される連結棒の挿入位置（図示せず）に２本の連結棒（５）を上から挿入すると、Ｉ字型継手構造が完成する。連結棒（５）が短い場合には、上から次々に挿入することもできるし、下から連結棒（５）を挿入していってもよい。以下、代表して１本の連結棒（５）で説明をする。
【００１９】
また、図１で示す仕切り板（１）２枚を直交するように立設し、１本の連結棒（５）を上から挿入すると、図４に示すようなＬ字型継手構造が形成される。
【００２０】
また、図１で示す仕切り板（１）３枚を、１枚に対し２枚が直交するように立設し、２本の連結棒（５）を上から挿入すると、図５に示すようなＴ字型継手構造が完成する。
【００２１】
また、図１で示す仕切り板（１）４枚を９０度ごと直交するように立設し、図４に示す位置と異なる位置で２本の連結棒（５）を上から挿入すると、Ｘ字型継手構造が完成する。この場合は４本の連結棒（５）を挿入することもできる。
【００２２】
以上に示す通り、本発明の仮設パーティションキットによれば、１種類の仕切り板および１種類の連結棒で４種類の継手構造すべてを完成することができる。このため、４種類の継手構造を適宜組み合わせると、図７で示すような、３部屋の間仕切りをもつ仮設パーティションを組み立てることができる。
【００２３】
また、必要に応じて、天井板などとして組み立てることもでき、逆に仮設パーティションの１枚の仕切り板をはずすと内部へ人が移動することが可能になる。さらに、仕切り板の段ボールの波目は縦方向と横方向に走っているので、連結棒は目印の位置だけに挿入できるだけでなく、あらゆる位置に挿入することができる。しかも、ボンド等の接着剤で仕切り板に連結棒を固定することができる。
【００２４】
図９は、本発明の他の実施形態に係る仕切り板である。図９の突部と溝部の形状は、図１で示す仕切り板（１）の形状と同一であるが、図９の右側辺の溝部がミシン目（６）でもって残っている点が図１で示す仕切り板（１）と異なる。溝部をミシン目（６）で残すことによって連結棒の挿入位置の目印が垂直方向だけでなく、水平方向の目印（４’）も表示することができるようになる。このため大きな部屋のパーティションも容易に組み立てることができるようになる。
【００２５】
本発明の仮設パーティションキットは、種類が少なくかさばらないので、あらかじめ湿気が入らないようにして梱包しておけば、災害時に即座に取り出すことができ、仮設パーティションを簡単に組み立てることができる効果がある。
【産業上の利用可能性】
【００２６】
この発明は、例えば体育館等の避難場所での仮設パーティションに利用できるほか、屋内外における仮設ステージや仮設迷路などとしても適用可能である。
【符号の説明】
【００２７】
１    仕切り板
２    突部
３    溝部
４、４’連結棒の挿入位置の目印
５    連結棒
６    ミシン目
【図１】
2018053458.tif 000003
【図２】
2018053458.tif 000004
【図３】
2018053458.tif 000005
【図４】
2018053458.tif 000006
【図５】
2018053458.tif 000007
【図６】
2018053458.tif 000008
【図７】
2018053458.tif 000009
【図８】
2018053458.tif 000010
【図９】
2018053458.tif 000011